(57)【要約】【課題】  消費税導入後は六種類の硬貨が街中、家庭内にあふれ管理に困り相当なエネルギーを消費している。【解決手段】  本発明は上記の課題を解決するため携帯用、軽量、小型、手の平サイズでワンタッチ操作により金種別の硬貨を瞬時に連続して必要金種、必要枚数を取り出すことができ又、収納することができる。縦型、円筒形で硬貨の収納部と押し出しレバーをそれぞれ五つずつ備え押し出しレバーを引き出し、押し込むことで硬貨を連続して押し出すことができる。【選択図】  図３
2006110275.tif 000002
【特許請求の範囲】
【請求項１】
硬貨を金種別に収納するために仕切りで隔てられた円筒状の複数の収納部とこの複数の収納部のそれぞれにスリット状に設けられた硬貨の出し入れ口と、前記複数の収納部のそれぞれに設置されるレバー部であって一の端部の大部分は複数の硬貨の最下部のその下に位置し、他の端部は前記出し入れ口の後面の外部に配設されその先端にツマミを備えレバー部を本体に接続する本体と一体形成のガイド部からなり、そのガイドとツマミの間に引き出されたレバーを元の位置に戻すためのバネを備えこのバネの作用によりレバー部のツマミとガイドは常時、密着の状態にあるためレバー部の大部分は前記収納部の中に位置しピストン運動可能なことを特徴とする携帯用小銭入れである。
【発明の詳細な説明】
【発明の詳細な説明】
【技術分野】
【０００１】  携帯用、軽量、小型，手の平サイズ、で金種別の硬貨を瞬時に連続して必要な金種と枚数をワンタッチで取り出すことができ、又、１円、５円、１０円、５０円、１００円の硬貨を各複数枚ずつ連続して収納することができる。
【背景技術】
【０００２】  現在、日本では６種類の硬貨があり従来では金種の異なる種類の硬貨を混合状態で財布の小銭入れに入れたり、別の小銭入れ（小袋）に入れて買い物で千円未満の端数金額や自動販売機で買い物をするときなどには硬貨で支払いすることがよくあるがその場合従来では小銭入れの開口から指を差し入れて金種の異なる硬貨が混合している硬貨群から必要金種の硬貨を選り分けながら必要金種を取り出していたが、小銭入れの開口が小さいときには内部がよく見えないため一旦、金種混合状態の硬貨群を小銭入れから手の平の上に移しだしてから必要金種を選別するようにしている光景をよく見ることがある。又、従来型とは全く異なった最新型で私が取得させていただきました特許第３４１１２５１号がある。
【発明が解決しようとする課題】
【０００３】  特許第３４１１２５１号では硬貨の自然流出防止と押し出しレバーの引き戻すためのバネを使用しているが、使用頻度が多くなるとバネが一本物であるため少しでも伸びて弛むと各収納部の硬貨の自然流出が起こり各出し入れ口が常時全開となっているため自然流出防止が最大の課題の一つである。
【０００４】  特許第３４１１２５１号ではレバーの形状が半円になっておりレバーの先端で真っ直ぐに押し出さず側面で押し出すため使用頻度が多くなると半円の曲がりが少しずつ伸びて不調の原因となる。
【０００５】  特許第３４１１２５１号ではレバーの先端で真っ直ぐに押し出さず側面で押し出すため硬貨が無理なく出入り口を通過せず出入り口と本体の接点が擦られて磨耗して出入り口がだんだん大きくなり硬貨の自然流出が起こり、特に５０円、１００円の硬貨は側面にヤスリの目のようにギザギザがありこの二つの収納部の出入り口の磨耗が早くなり他の収納部より早く硬貨の自然流出が起こる。
【０００６】  特許第３４１１２５１号では本体の両端の二ヶ所に１本のバネを取り付け固定しているが、５個のレバーのうち両端になるほどレバーが重くなり押し出す力は均等でなく扱い難い。
【課題を解決するための手段】
【０００７】  上記問題点を解決するため特許第３４１１２５１号の側面からのレバーの回転による押し出し式と異なり出入り口の後面より無理なく真っ直ぐに押し出すために回転式より力を必要とせずどのレバーも同じ力で操作できる。
【０００８】  それぞれの５個レバーには独立したバネを採用、レバーが最大限引き出された時にしか硬貨の自然流出は起こらず多少バネが伸びた場合でも収納部の内部に大部分のレバーが収納されており自然流出防止のストッパーの役目を果たすことができバネが伸びきってしまわない限り自然流出は起きず、伸びきってしまうことは有り得ず、したがってストッパー装置は全く必要とせずレバーそのものが役目を果たしている。
【０００９】  各収納部の出入り口が常時全開の状態になっており自然流出防止には複雑な装置を付ける必要があるが本願発明はその必要がなく部品を多く使わず操作が簡単である。
【００１０】  特許第３４１１２５１号の硬貨自然流出防止のバネは不必要となりそのバネを通す本体の５個の突起部も不必要になり、又、レバーを本体内部に収納するための５個の膨らみも不必要となる。
【００１１】  本体の突起部、膨らみ、一本物のバネが不必要になり本体及び全体の形状がなお一層シンプルになりそのためポケット等の中で引っかからず出し入れが無理なく容易となる。
【００１２】  レバー、ガイドの形状が簡単になり部品の数も少なくなりなお一層の軽量化になりコストダウンが実現できる。
【００１３】  合成樹脂による本体とガイドが一体形成になり５個の取付金具と２０本の金属ネジが不要になり、携帯に不可欠の軽量化につながる。
【００１４】  レバー長さが短く又、細くなりそのぶん指の行動半径が小さくなり操作がなお一層楽で素早く押し出すことが出来る。
【００１５】  特許第３４１１２５１号では手袋のままでの操作は不可能で、本願発明では手袋のままで指先で摘まんで操作が出来る。
【実施例】
【００１６】  本願発明の実施例を説明すると、１円、５円、１０円、５０円、１００円のそれぞれの５つの収納部を一体成形している。【００１７】  硬貨の直径は５００円を除き大きな差はないが正確には１円が２０．０ミリ、５円が２２．０ミリ、１０円が２３，８ミリ、５０円が２１．０ミリ、１００円が２２．６ミリとなっており厚みはほぼ同じであって本体の外形の直径は同じ大きさにする。【００１８】  各収納部とそれぞれの仕切りを加えると、全長、僅か９０．０ミリ程度となる。【００１９】  本体は一体成形か、図１を縦に中央より半分に割った状態で左右別々に成形後に接合し硬貨の枚数がよく確認できるよう透明、或いは半透明にする。【００２０】  硬貨を収納する場合は収納部を上下逆さまにしてレバーを一杯に引き出すとストッパーが外れた状態になり硬貨の出入り口が全開となるため連続して硬貨を収納することができ収納後は軽くレバーを押し込むだけでバネの作用により元の位置にレバーが戻り収納は完了する。【００２１】  本願発明は特許第３４１１２５１号の不備を補い無駄を省き実用性を重視、改良を重ねた結果究極の携帯小銭入れが実現しました。
【発明の効果】
【００２２】  本願発明の携帯用小銭入れは金種別の硬貨を同種類ごとに収納しうる五つの収納部があり各収納部内に金種ごとの硬貨を整理した状態で収納でき、又、必要金種の硬貨を取り出すのに選別作業が不要となりしかも同金種の硬貨を複数枚取り出す際にも同一収納部から連続して取り出す事ができ各収納部と各仕切り等を加え全長は僅か９０．０ミリ程度となり携帯用に最適の大きさで使用勝手が良好となる効果があり楽しい携帯用となる。
【００２３】  消費税導入により六種類の硬貨は街中、家庭内とあふれその管理に相当なエネルギーを消費しており携帯用、軽量、小型、手の平サイズ、ワンタッチ操作の小銭入れを小学生から老人まで待ち望んでいるのが現実です。
【図面の簡単な説明】
【図１】  出し入れ口の正面図。
【図２】  出し入れ口の後図面。
【図３】  押し出しレバー側面図。
【図４】  押し出しレバー。
【図５】  本体と一体構造のガイド。
【図６】  上下で１対のツマミ。
【図７】  常時、押し出しレバーの状態。
【図８】  最大限に、引き出した押し出しレバーの状態。
【符号の説明】
１  本体。
２  収納部。
３  出し入れ口。
４  仕切り。
５  本体と一体構造のガイド。
６  上下一対のツマミ。
７  押し出しレバー。
８  押し出しレバーの引き戻しバネ。
【図１】
2006110275.tif 000003
【図２】
2006110275.tif 000004
【図３】
2006110275.tif 000005
【図４】
2006110275.tif 000006
【図５】
2006110275.tif 000007
【図６】
2006110275.tif 000008
【図７】
2006110275.tif 000009
【図８】
2006110275.tif 000010